(57)【特許請求の範囲】
【請求項１】
液透過性の表面層、液不透過性の防漏層及び両層の間に介在する液保持性の吸収層を具備し、実質的に縦長に形成されてなる吸収性物品において、
左右両側縁部における上記表面層上には、それぞれ、一面が親水性であり且つ他面が疎水性又は非液吸収性のシート材から形成され、自由端部を有する防漏壁部が固着されており、
上記防漏壁部は、上記シート材の上記一面を肌当接面側に向けて配して形成されていることを特徴とする吸収性物品。
【請求項２】
上記防漏壁部の固着部の左右両側に、外方防漏壁及び内方防漏壁が形成されていることを特徴とする請求項１記載の吸収性物品。
【請求項３】
上記防漏壁部の固着部は、上記シート材の幅方向ほぼ中央部を上記表面層に固着して線状に形成されており、上記防漏壁部の壁部は、該固着部の左右両側それぞれに設けられていることを特徴とする請求項１記載の吸収性物品。
【発明の詳細な説明】
【発明の属する技術分野】
【０００１】
本発明は、側部からの漏れ防止性能が高い、生理用ナプキンや失禁パッドなどの吸収性物品に関する。
【０００２】
【従来の技術及び発明の解決しようとする課題】
従来より、吸収性物品は、漏れを防止すること、特に側部からの漏れを効果的に防止することが要求されており、種々提案がなされている。
【０００３】
例えば、特開平５−３３７１５２号公報、特開平５−１３７７５０号公報、特開平７−１１２００７号公報及び特開平７−１３６２１２号公報において、吸収性物品の幅方向左右両側縁部に疎水性の防漏壁を設けて、側部からの漏れを防止することが提案されている。
しかし、これらの提案にかかる吸収性物品においても、体液が防漏壁を超えて流出することがあり、未だ十分に側部からの漏れを防止することはできなかった。
【０００４】
従って、本発明の目的は、側部からの漏れ防止性に優れた吸収性物品を提供することにある。
【０００５】
【課題を解決するための手段】
本発明は、液透過性の表面層、液不透過性の防漏層及び両層の間に介在する液保持性の吸収層を具備し、実質的に縦長に形成されてなる吸収性物品において、左右両側縁部における上記表面層上には、それぞれ、一面が親水性であり且つ他面が疎水性又は非液吸収性のシート材から形成され、自由端部を有する防漏壁部が固着されており、上記防漏壁部は、上記シート材の上記一面を肌当接面側に向けて配して形成されている吸収性物品を提供することにより、上記目的を達成したものである。
【０００６】
【発明の実施の形態】
以下、本発明の吸収性物品をその好ましい実施形態について図面を参照して詳細に説明する。
【０００７】
図１及び２に示す本実施形態の吸収性物品としての生理用ナプキン１は、液透過性の表面層２、液不透過性の防漏層４及び両層２，４の間に介在する液保持性の吸収層３を具備し、実質的に縦長に形成されてなる。
【０００８】
図２に示すように、表面層２は、液透過性の表面シート２１により形成されており、防漏層４は液不透過性の裏面シート４１により形成されている。吸収層３は、液保持性の下部吸収体３１と、該下部吸収体３１の中央部（長手方向及び幅方向の中央部分）において該下部吸収体３１上に載置された液保持性の上部吸収体３２とにより形成されている。
表面シート２１は、上部吸収体３２及び下部吸収体３１の表面、下部吸収体３１の側面及び下部吸収体３１の裏面側左右両側部を覆って配されている。また、裏面シート４１は、下部吸収体３１の裏面側において、表面シート２１に接着されて配されている。
裏面シート４１の表面には、粘着剤が塗布されてずれ止め部７が形成されている。
【０００９】
而して、本実施形態の生理用ナプキン１においては、左右両側縁部における上記表面層２上には、それぞれ、一面５０ａが親水性であり且つ他面５０ｂが疎水性又は非液吸収性であるシート材５０から形成され、自由端部５３ｃを有する防漏壁部５が固着されており、防漏壁部は、シート材５０の一面５０ａを肌当接面側に向けて配して形成されている。
【００１０】
更に詳述すると、固着部５１は、シート材５０の幅方向ほぼ中央部を表面層２に固着して線状に形成されており、防漏壁部５の壁部５２は、固着部５１の左右両側それぞれに設けられている。即ち、図２に示すように、防漏壁部５は、その断面形状が、固着部５１の左右両側に壁部５２を形成し、Ｖ字になされており、防漏壁部５の固着部５１の左右両側に、外方防漏壁５２ｂ及び内方防漏壁５２ａが形成されている
また、シート材５０の前後両端部は、図１に示すように、表面シート２１及び裏面シート４１にヒートシールされて接着されている。また、壁部５２の自由端部５２ｃには、弾性部材５４が配されて、壁部５２が起立するようになされている。また、固着部５１よりも吸収性物品の幅方向内方に位置する内方壁部５２ａは、内方に向けて傾斜して、起立しており、固着部５１よりも吸収性物品の幅方向外方に位置する外方壁部５２ｂは、外方に向けて傾斜して、起立している。ここで、起立とは、各壁部５２が表面層２から隔離された状態で、その基端よりも自由端部の方が上方に位置する状態を意味する。
【００１１】
そして、シート材５０は、図２に示すように、親水性シート５５と疎水性又は非液吸収性のシート５６とを貼り合わせて形成されたシート材であり、親水性シート５５は、その両側縁部５５ａにおいて弾性部材覆っており、疎水性シート５６は、その両側縁部５６ａにおいて弾性部材５４を覆った親水性シート５６を更に覆っている。
【００１２】
固着部５１の幅Ｗは、固着部の接着性及び使用時の違和感の点で１〜１０mmとするのが好ましく、２〜７mmとするのが更に好ましい。
壁部５２の長さＬは、側部の防漏効果及び壁部の形状保持性の点で３〜３０mmとするのが好ましく、５〜２０mmとするのが更に好ましい。
【００１３】
次いで、生理用ナプキンを構成する各部材の形成材料等について説明する。
表面シート２１、裏面シート４１、下部吸収体３１及び上部吸収体３２の形成材料としては、通常、生理用ナプキンなどの吸収性物品に用いられるものであれば特に制限なく用いることができる。また、弾性部材としても通常吸収性物品に用いられるものを特に制限なく用いることができる。
【００１４】
シート材５０を形成する親水性シート５５及び疎水性又は非液吸収性のシート５６としては、それぞれ、親水性又は疎水性であるシートであれば特に制限されないが、具体的には、下記するシートなどが挙げられる。
親水性シートとしては、表面が親水性であり、体液を吸収可能なシートが挙げられ、例えば、レーヨン、パルプ、アクリル繊維等の親水性繊維からなる不織布や紙等及びポリエチレン、ポリプロピレン、ポリエステルやポリエチレン−ポリプロピレン、ポリエチレン−ポリプロピレン等の合成繊維からなる疎水性の不織布においても、表面が界面活性剤等で親水処理を施した不織布等が好ましく用いられる。
疎水性又は非液吸収性のシートとしては、体液を自身では吸収しないシートが挙げられ、例えば、ポリエチレン、ポリプロピレン等のフィルム材料及びポリエチレン、ポリプロピレン、ポリエステルやポリエチレン−ポリプロピレン複合繊維、ポリエチレン−ポリエステル複合繊維等の疎水性繊維からなる不織布等が好ましく用いられる。
【００１５】
本形態の生理用ナプキン１は、その使用時においてずれ止め部７を介してショーツなどの下着に装着して使用される。
そして、上述の如く構成されており、内方壁部５２ａの吸収体側の面５３ａは、疎水性もしくは非吸収性のシートで形成されているため、側方外側への体液流出を抑止できると共に、万一、内方壁部を体液が超えて流出してもこれを外方壁部５２ｂがせき止めることができ、更に、シート材５０の肌当接面側（一面５０ａ）が親水性のシート材料であるため、この部分で体液を吸収できる。このように、本発明の吸収性物品は、その両サイドにそれぞれ２つの防漏壁を有し、それらの防漏壁の間で吸収性を有するので、極めてモレ難い吸収性物品が形成可能となる。
【００１６】
本形態の生理用ナプキン１は、下部吸収体３１上に上部吸収体３２を載置し、表面シート２１及び裏面シート４１を配して、図１及び２に示す形態で、表面層２、防漏層４及び吸収層３を形成し、次いで、弾性部材５４を配したシート材５０を左右両側に配して、その前後両端部をヒートシールして表面シート２１及び裏面シート４１に接着し、更に、シート材５０を表面層２に固着して固着部５１を形成して、得ることができる。
【００１７】
シート材を表面層に固着して固着部を形成する方法としては、熱による融着、超音波による接着やホットメルト等による接着等が挙げられる。
また、生理用ナプキン等の経血が内方壁部をのりこえてくる量が少ない場合においては、肌当接面側の親水性シートの吸収のみで十分であるが、失禁パッドや紙オムツ等の様に多量の尿が内方壁部をのりこえてくる場合においては、固着部から体液が吸収可能となる様に固着部に開孔を設けても良い。
【００１８】
以下に、本発明の他の実施形態について説明する。
尚、以下の説明においては、上述した第１の実施形態と異なる点について特に説明する。特に説明しない点については、上述した説明が適宜適用される。
【００１９】
第２の実施形態の生理用ナプキン１（図示せず）は、第１の実施形態における弾性部材５４に変えて、弾性シート５７を用いており、シート材５０が、弾性シート５７を親水性シート５５と疎水性シート５６とで狭持し積層してなる積層シートである。この積層シートにおいては、弾性シート５７の左右両側縁が親水性シート５５で覆われており、さらに疎水性シート５６で覆われている。
この際用いられる弾性シートとしては、下記するシート等が挙げられる。
ポリウレタン、ポリブタジエン、ポリイソプレンやスチレン−ブタジエン共重合体、スチレン−イソプレン共重合体、エチレン−アクリル酸エチルからなるフィルム、不織布、発泡シート等のシート材料である。
【００２０】
図３に示す第３の実施形態の生理用ナプキン１は、シート材５０が、弾性シート５７を親水性シート５５と疎水性シート５６とで狭持し積層してなる積層シートであり、弾性シート５７の側縁は、親水性シート５５及び疎水性シート５６により覆われてはいない。また、吸収層は、第１の実施形態の下部吸収体で用いたもの１層で構成した。
【００２１】
第４の実施形態の生理用ナプキン１（図示せず）は、シート材５０が、親水性シート５５と疎水性の弾性シート５７’とを積層してなる積層シートである。
この際用いられる疎水性もしくは非吸収性の弾性シートとしては、下記するシート等が挙げられる。
上述のポリウレタン、ポリブタジエン、イソプレン、スチレン−ブタジエン共重合体、スチレン−イソプレン共重合体からなるフィルム材料、不織布、発泡シート等をフィルムにすれば、液非吸収性であるし、上述の不織布、発泡シート材料でも表面の疎水性が弱ければ、例えば、ポリウレタン等においても、シリコーン等の撥水性油剤で処理したものが用いられる。
このように、シート材５０の構成は、一面が親水性で他面が疎水性であれば任意であり、特に制限されない。
【００２２】
尚、本発明の吸収性物品は、上述の形態に制限されず、本発明の趣旨を逸脱しない範囲で種々変更が可能である。
【００２３】
【発明の効果】
本発明の吸収性物品は、特に横漏れを効果的に防止することができるものである。
【図面の簡単な説明】
【図１】図１は、本発明の吸収性物品の一形態を示す斜視図である。
【図２】図２は、図１のII-II 断面図である。
【図３】図３は、本発明の吸収性物品の他の形態の要部を示す、図２に相当する断面図である。
【符号の説明】
１  生理用ナプキン
２  表面層
２１  表面シート
３  吸収層
３１  下部吸収体
３２  上部吸収体
４  防漏層
４１  裏面シート
５  防漏壁部
５０  シート材
５１  固着部
５２  壁部
７  ずれ止め部
【図１】
0003982911.tif 000002
【図２】
0003982911.tif 000003
【図３】
0003982911.tif 000004